(57)【特許請求の範囲】
【請求項１】
固定側部材あるいは移動側部材のいずれか一方側に取付けられた摺動力付加部材と、摺動力付加部材に対応して他方側に取付けられた、移動側部材の摺動距離とほぼ等しい長さの摺動力受動部材より構成され、摺動力付加部材は、常に一方向にのみ弾性力が付与されて一部が摺動力受動部材に弾性的に圧接し、摺動力受動部材は、摺動力付加部材に付与された一方向の弾性力を、移動側部材が所定位置に達すると引きこみ力に、引き込まれた移動側部材が所定位置に達すると押し出し力に変換させる変換機構と、摺動力付加部材に付与された一方向の弾性力が、移動側部材の引きこみ力から押し出し力に変化した状態で保持するラッチ部を有することを特徴とする移動側部材の摺動装置。
【請求項２】
変換機構は、外部からの収納力によって移動側部材が所定位置に達すると、摺動力付加部材に付与された一方向の弾性力を、移動側部材の引きこみ力に変換させる引き込み案内路と、引き込まれた移動側部材の一部が所定位置に達すると、摺動力付加部材に付与された一方向の弾性力を押し出し力に変換させて、移動側部材を一旦停止状態に導く第１押し出し案内路と、停止状態の移動側部材が一旦押し込まれると、摺動力付加部材に付与された一方向の弾性力を、移動側部材の押し出し力に変換させる第２押し出し案内路を有することを特徴とする請求項１に記載の移動側部材の摺動装置。
【請求項３】
ラッチ部は、引き込み案内路と第２押し出し案内路間で、第１押し出し案内路の引き出し側に位置して設けられていることを特徴とする請求項２に記載の移動側部材の摺動装置。
【請求項４】
摺動力付加部材は、先端部に設けられた回転ローラーが、常に摺動力受動部材の引き込み案内路と第１、第２押し出し案内路に圧接するよう弾性力が負荷された弾性圧接腕を有し、引き込み案内路は、回転ローラーの圧接力が移動側部材を固定側部材に対し、引き込み力に変化させる方向に傾斜し、第１、第２押し出し案内路は、回転ローラーの圧接力が移動側部材を固定側部材に対し、押し出し力に変化させる方向に傾斜し、引き込み案内路の引き出し側には開閉摺動路が設けられ、第２押し出し案内路と開閉摺動路間には引き出し摺動路が設けられ、引き出し摺動路と開閉摺動路の連続部分は、引き出し摺動路から開閉摺動路の方向にのみ回転ローラーが通過可能に構成されていることを特徴とする請求項２に記載の移動側部材の摺動装置
【発明の詳細な説明】
【技術分野】
【０００１】
本発明は、ＯＡ機器の引き出し部分、家具等の載置板部、陳列棚等のスライド棚等の移動側部材を、引出し状態（スライド状態）から収納位置（最終所定位置）まで完全に移動させなくても、一定位置まで収納させると、後は固定側部材に自動的に引き込まれて保持状態となる自動引き込み機能と、保持状態から一旦押し込むと移動側部材が所定位置まで自動的に押し出される自動押し出し機能の両方を有する移動側部材の摺動装置に関するものである。
【背景技術】
【０００２】
家具本体等の固定側部材に載置板等の移動側部材を収納する時、移動側部材を勢い良く収納すると、収納時の跳ね返りによって、移動側部材が完全に収納されなかったり、あるいは、移動側部材を最初から完全に収納していなかったりする場合があった。
この問題を解決するため、移動側部材に取付けられた引き込み力付加部材と、引き込み力付加部材に対応して固定側部材に取付けられた引き込み力受動部材からなり、引き込み力付加部材は、移動側部材が固定側部材に対して最終所定位置に近づいたとき、引き込み力受動部材に一部が弾性的に圧接する圧接機構を有し、引き込み力受動部材は、圧接機構の圧接力を移動側部材を固定側部材に対し最終所定位置となす方向への引き込み力に変化させる案内傾斜面を設けた、引き込み機能をスライドレールに設けたものが提供されている。（例えば特許文献１参照。）
【０００３】
この場合、引き込み力受動部材は、引き込み力付加部材と共に移動側メンバーの収納側端部に取付ける構成であるため、移動側メンバーの摺動距離に比較して引き込み力受動部材は極端に短く構成されることとなる。
したがって、引き込み開始位置と引き込み終了位置との距離が短くなり、急激に引き込まれるたり、あるいは、収納保持された移動側部材を引き出すのに、予測以上の引き出し力を要するなど、好ましい引き込み効果を得ることができなかった。
【０００４】
一方、両手が塞がっている状態で使用される機会が多い機器類や、デザイン的な理由等から引き手を設けない引き出し等が、最終所定位置の保持状態から、一度押し込む動作で、後は自動的に引き出しが所定位置まで引き出される押し出し機能を有するものとして、固定側レールに対し、滑車機構を有する移動側レールを固定側レールの長手方向に移動可能に取り付け、滑車機構の滑車にＵ字状に巻装したワイヤーの一端部を移動側レールの一端部に、他端部を固定側レールの一端部にそれぞれ取り付け、滑車機構と固定側レールの他端部との間に引張りスプリングを設けた構成を有したものが提供されている。（例えば特許文献２参照。）
【０００５】
この場合、ワイヤー、滑車機構、滑車機構、引張りスプリングはすべて、固定側レールと移動側レール間の内部に配設されている。
このため、固定側レールと移動側レールからなるスライドレール本体を組上げる過程において、予めワイヤー、滑車機構、引張りスプリングを組み込まねばならず、生産効率が非常に悪いという問題があった。
さらに、ワイヤー、滑車機構、引張りスプリングに故障が発生した場合、内部に組み込まれているので、故障部分だけの取り替えができず、スライドレール全体を取り替える必要がありコスト高となっていた。
【０００６】
一方、近年、特に高品質のＯＡ機器（特に複写機）、あるいは、高品質のシステムキッチン等においては、高級感を醸し出すため、各部分に高機能が要求されている。
例えば、複写機においてはペーパートレーに、システムキッチンにおいては抽斗に、自動引きこみ機能と自動押し出し機能を合わせ持つことが強く要望されていた。
しかしながら、自動引き込み機能と自動押し出し機能は矛盾した動きとなるため、モータを使用した電気的なものは提供されていたが、非常に高価になることと、故障時の修理等に問題があった。
【０００７】
【特許文献１】特開２００７−１９５７５４号公報
【特許文献２】特開特開平４−１６１１０８号公報
【発明の開示】
【発明が解決しようとする課題】
【０００８】
本発明は、上記問題に鑑み、簡単な構造で安価に製作出来、スライドレールの構造に関係なく、移動側部材と固定側部材間に自動引き込み機能と自動押し出し機能を機械的に設ける事が出来る移動側部材の摺動装置を提供することを課題とする。
【課題を解決するための手段】
【０００９】
上記課題を解決する為、本発明が手段とする第１の特徴は、固定側部材あるいは移動側部材のいずれか一方側に取付けられた摺動力付加部材と、摺動力付加部材に対応して他方側に取付けられた、移動側部材の摺動距離とほぼ等しい長さの摺動力受動部材より構成され、摺動力付加部材は、常に一方向にのみ弾性力が付与されて一部が摺動力受動部材に弾性的に圧接し、摺動力受動部材は、摺動力付加部材に付与された一方向の弾性力を、移動側部材が所定位置に達すると引きこみ力に、引き込まれた移動側部材が所定位置に達すると押し出し力に変換させる変換機構と、摺動力付加部材に付与された一方向の弾性力が、移動側部材の引きこみ力から押し出し力に変化した状態で保持するラッチ部を有するものである。
【００１０】
次に本発明が手段とする第２の特徴は、第１の手段として構成したところに加え、変換機構は、外部からの収納力によって移動側部材が所定位置に達すると、摺動力付加部材に付与された一方向の弾性力を、移動側部材の引きこみ力に変換させる引き込み案内路と、引き込まれた移動側部材の一部が所定位置に達すると、摺動力付加部材に付与された一方向の弾性力を押し出し力に変換させて、移動側部材を一旦停止状態に導く第１押し出し案内路と、停止状態の移動側部材が一旦押し込まれると、摺動力付加部材に付与された一方向の弾性力を、移動側部材の押し出し力に変換させる第２押し出し案内路を有するものである。
【００１１】
次に本発明が手段とする第３の特徴は、第２の手段として構成したところに加え、ラッチ部は、引き込み案内路と第２押し出し案内路間で、第１押し出し案内路の引き出し側に位置して設けられているものである。
【００１２】
次に本発明が手段とする第４の特徴は、第２の手段として構成したところに加え、摺動力付加部材は、先端部に設けられた回転ローラーが、常に摺動力受動部材の引き込み案内路と第１、第２押し出し案内路に圧接するよう弾性力が負荷された弾性圧接腕を有し、引き込み案内路は、回転ローラーの圧接力が移動側部材を固定側部材に対し、引き込み力に変化させる方向に傾斜し、第１、第２押し出し案内路は、回転ローラーの圧接力が移動側部材を固定側部材に対し、押し出し力に変化させる方向に傾斜し、引き込み案内路の引き出し側には開閉摺動路が設けられ、第２押し出し案内路と開閉摺動路間には引き出し摺動路が設けられ、引き出し摺動路と開閉摺動路の連続部分は、引き出し摺動路から開閉摺動路の方向にのみ回転ローラーが通過可能に構成されているものである。
【発明の効果】
【００１３】
請求項１に記載の発明によると、  摺動力付加部材と、摺動力付加部材に対応して取付けられた摺動力受動部材の２つの部材から構成されるだけであるから、構造が簡単で、部材点数が少なく、組立も容易で、安価に製作できる。
又、摺動力付加部材と摺動力受動部材をスライドレールとは関係ない外部に設けることによって、どのようなスライドレールの形態であっても使用することができる。
さらに、摺動力付加部材は、一方向に弾性力を付与するだけの簡単な構成であるから故障の発生もなく、安定した摺動状態を得ることができる。
又、引き込み力受動部材は、移動側部材の摺動距離とほぼ同等の長さで設けられているので、移動側部材が引き込まれる所定位置を広範囲から決定することができるので、所望の収納感覚（引き込み感覚）及び引き出し感覚を得ることができる。
【００１４】
請求項２に記載の発明によると、上記効果に加え、変換機構は、引き込み案内路と、第１押し出し案内路と、第２押し出し案内路からなる簡単な構成であるから、安価に製作でき、故障が発生する要因もほとんどない。
【００１５】
請求項３に記載の発明によると、請求項２に記載の発明の効果に加え、ラッチ部は、引き込み案内路と押し出し案内路間で第１押し出し案内路の引き出し側に位置して設けられているので外部の露見することがなく、デザイン的な制約を与えることもない。
又、移動側部材の停止状態から、移動側部材を一旦押し込む動作によって、移動側部材は所定位置まで押し出されるから、両手が塞がった状態であっても、体の一部で容易に操作が可能である。
又、引き込み案内路と第１押し出し案内路間に連続して設けることにより、コストアップになることもなく、安価に製作する事ができる。
【００１６】
請求項４に記載の発明によると、請求項２に記載の発明の効果に加え、摺動力付加部材は回転ローラーを有しているので、引き込み案内路及び第１、第２押し出し案内路に圧接していても、回転しながら摺動するので摩擦抵抗がほとんどなく、移動側部材の摺動に影響を与える事がない。
又、回転ローラーの圧接力を、移動側部材の押し出し力あるいは引き込み力に変化させる構成は、第１、第２押し出し案内路と引き込み案内路を単に傾斜させるだけであるから、構造が簡単で安価に製作できるだけでなく、傾斜角度を変えるだけで、引き込みあるいは押し出しスピードを選択することができ、使用箇所にあった最適な摺動スピードを得ることができる。
さらに、引き込み案内路の引き出し側には開閉摺動路が設けられ、第２押し出し案内路と開閉摺動路間には引き出し案内路が設けられ、引き出し案内路と開閉摺動路の連続部分は、引き出し案内路から開閉摺動路の方向にのみ回転ローラーが通過可能に構成されているので、回転ローラーは、開閉摺動路、引き込み案内路、押し出し案内路、引き出し案内路、開閉摺動路と確実に周回し、安定した引き込み機能と押し出し機能を発揮する。
【発明を実施するための最良の形態】
【００１７】
固定側部材あるいは移動側部材のいずれか一方側に取付けられた摺動力付加部材と、摺動力付加部材に対応して他方側に取付けられた、移動側部材の摺動距離とほぼ等しい長さの摺動力受動部材と、移動側部材を引き込み状態で保持する、摺動力受動部材に設けられたラッチ部からなり、摺動力付加部材は、常に一方向にのみ弾性力が付与されて、先端部に設けられた回転ローラーが弾性的に摺動力受動部材に圧接し、摺動力受動部材は、移動側部材が外部からの収納力によって所定位置に達すると回転ローラーの圧接力が移動側部材を引き込む引きこみ力に変化する方向に傾斜する引き込み案内路と、引き込まれた移動側部材が所定位置に達すると、回転ローラーの圧接力が移動側部材を押し出す押し出し力に変化する方向に傾斜する押し出し案内路と、引き込み案内路の引き出し側に設けられた開閉摺動路と、押し出し案内路と開閉摺動路間に設けられた引き出し案内路を有し、引き出し案内路と開閉摺動路の連続部分は、引き出し案内路から開閉摺動路の方向にのみ回転ローラーが通過可能に構成され、ラッチ部は、引き込み案内路と押し出し案内路間に設けられ、摺動力付加部材に付与された一方向の弾性力が、移動側部材の引き込み力から押し出し力に変化した状態で、移動側部材を一旦停止状態で保持し、移動側部材を一旦押し込む動作によって、移動側部材は所定位置まで押し出されるものである。
【実施例】
【００１８】
以下、本発明の第１実施例を図１から図１１に基づいて説明する。
図１から図４において、符号１００、１００は、左右のスライドレールを示し、左右のスライドレール１００、１００は、対向した同形に形成されて、固定側部材２００（実施例では、ＯＡ機器等の機器本体）と移動側部材２０３（実施例ではＯＡ機器等のペーパートレー）間に、固定側連結座２０２、２０２と移動側連結座２０４、２０４を介して連結されている。
【００１９】
そして、それぞれの固定側連結座２０２、２０２、移動側連結座２０４、２０４間に設けられた移動側部材２０３の摺動装置５００、５００（図３に示す。）とスライドレール１００、１００によって、移動側部材２０３は、手動によって収納方向へ摺動し、所定位置に達すると自動的に収納側に引き込まれた後、やや引き出し方向に押し出されて停止し、所定位置で収納状態が保持される。そして、移動側部材を一旦押し込んだ後、押し込み力を解除すると、移動側部材２０３は所定位置まで自動的に押し出され、後は手動によって引き出される。
【００２０】
スライドレール１００は、固定側連結座２０２を介して機器類等の本体側（固定側部材２００）に連結される固定側メンバー１と、固定側メンバー１に摺動自在な中間メンバー３と、中間メンバー３に摺動自在で、移動側連結座２０４を介して機器類の引き出し部（移動側部材２０３）と連結される移動側メンバー２と、中間メンバー３と固定側メンバー１間に配設されるボールリテーナー４と、中間メンバー３と移動側メンバー２間に配設されるボールリテーナー６より構成されている。
【００２１】
固定側メンバー１は、金属製の細長条板の短手両端部を内向き円弧状に折り曲げた内面長手方向にボール案内溝を有する上下の両折曲縁１１、１１と、機器類等の本体側（固定側部材２００）あるいは、固定側連結座２０２と連結される固定側メンバー基板１２より断面略Ｃ字形に形成されている。
そして、固定側メンバー基板１２の収納側端部を移動側メンバー２方向に折り曲げて固定側収納時ストッパー１５が形成され、固定側メンバー基板１２の引き出し側端部を移動側メンバー２方向に折り曲げて固定側移動時ストッパー１４が形成されている。
【００２２】
中間メンバー３は、上記固定側メンバー１に挿入可能な大きさで固定側メンバー１よりやや短い長さの固定側基板３１と、固定側基板３１の上下端部を外向き円弧状に折り曲げた上下の両折曲縁３２、３２よりなる断面略Ｃ字形の固定側中間メンバー３０と、上記移動側メンバー２に挿入可能な大きさで固定側メンバー１よりやや短い長さの移動側基板３１１と、移動側基板３１１の上下端部を内向き円弧状に折り曲げた上下の両折曲縁３２２、３２２よりなる断面略Ｃ字形の移動側中間メンバー３００を、固定側基板３１の後端部が移動側基板３１１の後端部より収納側に突出するようずらして背中合わせに固着した断面略Ｉ字形に構成されている。
そして、移動側基板３１１の引き出し側端部を移動側メンバー２方向に折り曲げてボールリテーナー引き出し時ストッパー２６が形成され、固定側基板３１の収納側端部を固定側メンバー１方向に折り曲げてボールリテーナー収納時ストッパー２７が形成されている。  
【００２３】
移動側メンバー２は、固定側メンバー１と対向した同形同長に形成され、金属製の細長条板の短手両端部を内向き円弧状に折り曲げて形成された内面長手方向にボール案内溝を有する上下の両折曲縁２１、２１と、移動側メンバー基板２２より、断面略Ｃ字形に形成されている。
【００２４】
そして、移動側メンバー基板２２の引き出し側端部を固定側メンバー１方向に折り曲げて形成された移動側収納時ストッパー２３と、移動側メンバー基板２２の収納側端部を固定側メンバー１方向に折り曲げて形成された移動側移動時ストッパー（図示せず。）を有している。
符号２８・・・（図３に示す。）は移動側連結座２０４との連結孔を示している。
【００２５】
ボールリテーナー４、６は対向した同形で、帯条金属板にて固定側メンバー１、移動側メンバー２及び、中間メンバー３との間に挿入可能な大きさで、かつ、両メンバー１、２の半分以下の長さで、基板４１、６１と上下の折曲片４２、４２、６２、６２からなり、基板４１、６１は中央部をコ字形に折り曲げ、そして、上下の両折曲片４２、４２、６２、６２の摺動方向の数箇所に複数個のボール４０・・・を回転自在に保持している。
【００２６】
第１実施例のスライドレール１００は上記の如く構成され、スライドレール１００の最大伸長時には、移動側メンバー２の移動側移動時ストッパーが緩衝部材を介してボールリテーナー６の収納側端面に当接し、ボールリテーナー６の引出し側端面は緩衝部材を介して中間メンバー３のボールリテーナー引き出し時ストッパー２６に当接し、中間メンバー３のボールリテーナー収納時ストッパー２７がボールリテーナー４の収納側端面に緩衝部材を介して当接し、ボールリテーナー４の引き出し側端面が緩衝部材を介して固定側移動時ストッパー１４に当接している。
【００２７】
一方、スライドレール１００の最短収縮状態では、移動側メンバー２の引出し側端部の移動側収納時ストッパー２３が緩衝部材を介して中間メンバー３の引出し側端部に形成されたボールリテーナー引き出し時ストッパー２６に当接し、中間メンバー３の収納側端部に形成されたボールリテーナー収納時ストッパー２７が緩衝部材を介して固定側メンバー１の収納側端部に形成された固定側収納時ストッパー１５に当接している。
【００２８】
固定側部材２００と移動側部材２０３間に配設される移動側部材２０３の摺動装置５００は、図３〜図１２に示す如く、移動側メンバー２と連結された移動側連結座２０４の収納側端部に取付けられる摺動力付加部材８１と、固定側固定側連結座２０２に取付けられる摺動力受動部材８２とより構成されている。
【００２９】
摺動力付加部材８１は、弾発体８１１と、弾発体８１１によって所定方向に回動力を付与された弾性圧接腕８１２より構成されている。
弾性圧接腕８１２は、スライドレール１００の厚み方向に扁平で引き出し方向に長い金属製の板体で、引き出し側端部が枢軸８１３にて移動側連結座２０４の収納側端部に回動自在に設けられ、先端側（収納側端）には、回転ローラー８１４が回転自在に取付けられている。
【００３０】
弾発体８１１は巻きバネ材より形成され、前記枢軸８１３に外嵌し、一端が枢軸８１３の移動側で移動側連結座２０４に設けられた係止ピン８１５に係止し、他端は枢軸８１３の収納側で弾性圧接腕８１２の一部に係止し、図５〜図１１において常に時計廻りの方向に回動力を付与している。
すなわち、回転ローラー８１４は、弾性圧接腕８１２に付与された弾発体８１１による回動力によって、摺動力受動部材８２に常に弾性的に圧接することとなる。
【００３１】
摺動力受動部材８２は、固定側連結座２０２と連結される連結基板８２０と、スライドレール１００の下方に位置し、引き出し側端部が固定側メンバー１の引き出し側端部とほぼ同じ位置から収納方向に向かって形成された水平な開閉摺動路８２１と、収納側端部が連結基板８２０に回動自在に連結された回動案内部材８２２の上面に、開閉摺動路８２１の収納側に連続して形成された第２開閉摺動路８２３と、第２開閉摺動路８２３の収納側端部に連続する第３開閉摺動路８２４と、第３開閉摺動路８２４の収納側端部に連続する
変換機構５と、変換機構５の引き出し側の端部に連続して設けられ、引き出し方向で上方に傾斜し、引き出し側端部が、前記開閉摺動路８２１と第２開閉摺動路８２３間に連続する引き出し摺動路８２５を有している。
【００３２】
変換機構５は、第３開閉摺動路８２４の収納側端部に連続する収納方向で下方に傾斜し、回転ローラー８１４の弾性的圧接力を移動側部材２０３（移動側メンバー２）の引きこみ力に変換させる引き込み案内路５２と、引き込み案内路５２の収納側端部から、回転ローラー８１４の第１通過間隙５３を有して上下方向で下端が引き出し方向に湾曲状に突出して形成された変換案内路５４と、変換案内路５４の下端部から回転ローラー８１４の第２通過間隙５５を有して、引出し側の下方に設けられた収納方向で上方に傾斜する第１押し出し案内路５７と、第１押し出し案内路５７の収納側端部と回転ローラー８１４の第３通過間隙５８を有し、引き出し側に連続する引き出し方向で下方に傾斜し、回転ローラー８１４の弾性的圧接力を移動側部材２０３（移動側メンバー２）の押し出し力に変換させる第２押し出し案内路５９より構成されている。
【００３３】
そして、回動案内部材８２２の引き出し側端部を引き出し摺動路８２５の傾斜角度と同じ角度で切断して傾斜当接面８２６（図１１に示す。）を形成し、引き出し摺動路８２５の引き出し側端部（上端部）の上面に、傾斜当接面８２６が当接した（密着した）状態で、第２開閉摺動路８２３と開閉摺動路８２１が同一水平面で連続するよう形成されている。
【００３４】
すなわち、回動案内部材８２２は収納側端部が連結基板８２０に回動自在に保持され、自重によって、引き出し側端部の傾斜当接面８２６が引き出し摺動路８２５の上端部に密着し、下方への回動を阻止されているので、回転ローラー８１４は、開閉摺動路８２１から必ず第２開閉摺動路８２３に移動し、開閉摺動路８２１から引き出し摺動路８２５に移動することはない。
一方、回動案内部材８２２の引き出し側端部は上方５には回動可能であるから、回転ローラー８１４は引き出し摺動路８２５から回動案内部材８２２の引き出し側端部を押し上げて開閉摺動路８２１に支障なく移動する。
【００３５】
ラッチ部８３は、変換案内路５４の下端部から回転ローラー８１４の第２通過間隙５５を有して、第１押し出し案内路５７の引き出し側端部に、回転ローラー８１４を保持する凹部状に形成されている。
【００３６】
第１実施例は上記のように構成され、スライドレール１００が最も引き出された状態（図５に示す状態）、すなわち、移動側部材２０３が固定側部材２００より完全に引き出され状態で、摺動力付加部材８１の弾性圧接腕８１２に設けられた回転ローラー８１４が開閉摺動路８２１の引き出し側端部に弾性的に圧接している。
【００３７】
この状態から、手動にて移動側部材２０３を収納していくと、それに伴って、摺動力付加部材８１も収納方向に移動し、回転ローラー８１４は開閉摺動路８２１から第２開閉摺動路８２３、第３開閉摺動路８２４を通過し、引き込み案内路５２の引き出し側端部に位置する。（図６に示す状態。）
すると、引き込み案内路５２は収納方向で下方に傾斜しているので、回転ローラー８１４の弾性的圧接力によって、回転ローラー８１４（移動側部材２０３）は自動的に収納方向に引き込まれ、回転ローラー８１４が引き込み案内路５２の収納側端部から第１通過間隙５３に位置した状態（図７に示す状態。）から、変換案内路５４の下端部から引き出し側にやや押し出されながら第２通過間隙５５を通過してラッチ部８３に達する。（図８に示す状態。）
【００３８】
この状態で、ラッチ部８３の収納側に形成された第１押し出し案内路５７は収納方向で上方に傾斜しているので、回転ローラー８１４の弾性的圧接力によって、引き出し方向に押し出し力を付与された状態で移動側部材２０３は停止し、収納状態が維持される。（摺動力付加部材８１の摺動は停止し、移動側部材２０３の収納状態が維持される。）
すなわち、移動側部材２０３は所定位置から自動的に引き込まれた後、やや前方に押し出された状態の所定位置で保持される。
この移動側部材２０３の動きは、特に高品質のコピー機に使用されるペーパートレイの動きにもとめられている。つまり、コピー紙を所定位置に収納しておくためには、トレーが一旦収納された状態から、自動的に所定位置まで押し出して停止させる事によって、より確実で、安定した停止位置が得られるからである。
【００３９】
次に、上記の状態から移動側部材２０３を収納側に押し込むと、回転ローラー８１４は第１押し出し案内路５７の収納側端部を乗り越して、第３通過間隙５８から第２押し出し案内路５９の収納側端部に位置する。（図９に示す状態。すなわち、スライドレール１００の最短縮小状態）
【００４０】
すると、第２押し出し案内路５９の収納側の端部側に位置する回転ローラー８１４の弾性的圧接力と、押し出し案内路５９の引き出し方向での下方への傾斜によって、回転ローラー８１４（摺動力付加部材８１すなわち移動側部材２０３）は自動的に引き出し方向に移動し所定位置に達して停止する。（図１０に示す状態。）
さらに手動にて移動側部材２０３を引き出すと、回転ローラー８１４は引き出し摺動路８２５から回動案内部材８２２の引き出し側端部を押し上げて（図１１に示す状態。）開閉摺動路８２１に移動し、やがて移動側部材２０３は完全に引き出された状態となる。（図５に示す状態。）
【００４１】
尚、第１実施例では、摺動力付加部材材８１を移動側に設け、摺動力受動部材８２を固定側に設けているが、第１実施例の固定側メンバ１を移動側メンバーとし、第１実施例の移動側メンバー２を固定側メンバーとして使用することで、摺動力受動部材８２を移動側部材２０３と共に移動さすようにしても第１実施例と同様の効果を得ることができる。
又、第１実施例ではスライドレール１００に、固定側連結座２０２、移動側連結座２０４を介して摺動力受動部材８２と摺動力付加部材材８１を連結しているが、スライドレール１００と切り離して、固定側部材２００、移動側部材２０３に直接取付けても良い。
【００４２】
次に、第２実施例を図１２、図１３に基づいて説明する。
第２実施例のスライドレール１００は、固定側メンバー１と、固定側メンバー１に摺動可能でほぼ同長の移動側メンバー２と、固定側メンバーと移動側メンバー間に配設され、固定側メンバー１の略４分の１程度の長さのボールリテーナ４と、ボールリテーナー４に回転自在に保持され、固定側メンバー１と移動側メンバー２の上下の両折曲縁間を転動するボール４０・・・より構成されている。
【００４３】
摺動力付加部材８１は、第１実施例と同様に構成されている。
摺動力受動部材８２は、上端部が固定側メンバー１に連結され、固定側部材２００に直接連結され、第１実施例同様、水平な開閉摺動路８２１と、開閉摺動路８２１の収納側に連続して設けられた変換機構５と、変換機構５の引き出し側の端部に連続して設けられ、引き出し方向で上方に傾斜し、引き出し側端部が、前記開閉摺動路８２１に連続する引き出し摺動路８２５を有している。
【００４４】
変換機構５は、収納側端部が連結基板８２０に回動自在に連結された回動案内部材８２
を第１実施例の引き込み案内路５２の収納側端部まで延出し、上面に形成された、回転ローラー８１４の弾性的圧接力を移動側部材２０３（移動側メンバー２）の引きこみ力に変換させる、第１実施例の引き込み案内路５２より緩やかに傾斜し、開閉摺動路８２１の収納側に連続する引き込み案内路５２０と、引き込み案内路５２０の収納側端部から、上下方向に形成された回転ローラー８１４の第１通過間隙５３と、第１通過間隙５３の引出し側の下端に設けられた収納方向で上方に傾斜する第１押し出し案内路５７と、第１押し出し案内路５７の収納側端部と回転ローラー８１４の第３通過間隙５８を有し、引き出し側に連続する引き出し方向で下方に傾斜し、回転ローラー８１４の弾性的圧接力を移動側部材２０３（移動側メンバー２）の押し出し力に変換させる第２押し出し案内路５９より構成されている。
そして、ラッチ部８３は、第１押し出し案内路５７の引き出し側端部に、回転ローラー８１４を保持する凹部状に形成されている。
【００４５】
すなわち、第２実施例は、第１実施例とスライドレール１００の構造、摺動力受動部材８２の取付け、及び、変換機構５の一部の構成が異なるだけで、他の構成はほぼ同じで、
作用効果も同様である。
ただ、前方引き込み案内路５２０を第１実施例より緩やかに傾斜させて開閉摺動路８２１の引き出し側端部まで延出させているので、第１実施例の弾発体８１１より弾発力を強く設定し、移動部材２０３の引き込み開始位置をより引き出し側方向に近づけている。
【図面の簡単な説明】
【００４６】
【図１】本発明の第１実施例の使用状態を示す斜視図
【図２】移動側部材を取外した状態の図１に対応する斜視図
【図３】第１実施例のスライドレールと移動側部材の摺動装置を示す斜視図
【図４】第１実施例のスライドレールの拡大側面図
【図５】移動側部材が最も引き出された状態の第１実施例の摺動装置の正面図
【図６】移動側部材が引き込まれ始めた状態の第１実施例の摺動装置の正面図
【図７】移動側部材が最も引き込まれた状態の第１実施例の摺動装置の正面図
【図８】移動側部材が収納状態で保持された状態の第１実施例の摺動装置の正面図
【図９】収納状態で保持された移動側部材が一旦押し込まれた状態の第１実施例の摺動装置の正面図
【図１０】移動側部材が押し出された状態の第１実施例の摺動装置の正面図
【図１１】移動側部材が引き出される途中の第１実施例の摺動装置の正面図
【図１２】図８のＡ部拡大図
【図１３】移動側部材が最も引き出された状態の第２実施例の摺動装置の正面図
【図１４】第２実施例の側面図
【符号の説明】
【００４７】
１              固定側メンバー
１００          スライドレール
３              中間メンバー
２              移動側メンバー
２００          固定側部材
２０３          移動側部材
５              変換機構
８２２          回動案内部材
８２３          第２開閉摺動路
５２            引き込み案内路
５３            第１通過間隙
５４            変換案内路
５５            第２通過間隙
５７            第１押し出し案内路
５８            第３通過間隙
５９            押し出し案内路
８１            摺動力付加部材
８１１          弾発体
８１２          弾性圧接腕
８１４          回転ローラー
８２            摺動力受動部材
８２１          開閉摺動路
８２５          引き出し摺動路
８３            ラッチ部
【図１】
0005081563.tif 000002
【図２】
0005081563.tif 000003
【図３】
0005081563.tif 000004
【図４】
0005081563.tif 000005
【図５】
0005081563.tif 000006
【図６】
0005081563.tif 000007
【図７】
0005081563.tif 000008
【図８】
0005081563.tif 000009
【図９】
0005081563.tif 000010
【図１０】
0005081563.tif 000011
【図１１】
0005081563.tif 000012
【図１２】
0005081563.tif 000013
【図１３】
0005081563.tif 000014
【図１４】
0005081563.tif 000015